(57)【要約】      （修正有）【課題】吸引と液体の噴霧を同時に行い、液体の噴霧量を適度に調整可能であり、長時間にわたって液体の噴霧が可能であり、ユーザに不快感を与えず吸引口と肌の密着性を向上させ十分な皮脂の除去を行なうことが可能な美顔器を提供する。【解決手段】  肌に当接して皮脂や汚れを吸引する吸引ノズル２と、吸引力を発生させるための吸引ポンプ２０と、液体を噴霧するための噴霧ノズル３と、液体を貯蔵するタンク９と、液体を噴霧ノズルに供給する液体供給ポンプ３０と、タンク９と噴霧ノズル３の間に設けられた断面径が他の部分よりも小さいパイプ（流量調節機構）を備え、噴霧される液体の量を少なくする。【選択図】図２
2005198989.tif 000002
【特許請求の範囲】
【請求項１】
肌に当接して皮脂や汚れを吸引する吸引ノズルと、
前記吸引ノズルに吸引力を発生させるための吸引ポンプと、
前記吸引ノズルの近傍に設けられ、液体を噴霧するための噴霧ノズルと、
前記噴霧ノズルに供給する液体を貯蔵するタンクと、
前記タンク内の液体を前記噴霧ノズルに供給するための液体供給ポンプと、
前記吸引ポンプ及び前記液体供給ポンプを同時に駆動する駆動モータと、
前記噴霧ノズルから微量の液体を噴霧量するための微量噴霧手段を備えたことを特徴とする美顔器。
【請求項２】
前記微量噴霧手段は、前記タンクと前記噴霧ノズルの間に設けられた流量調整機構であることを特徴とする請求項１に記載の美顔器。
【請求項３】
前記流量調整機構は、断面径が他の部分よりも小さいパイプであるであることを特徴とする請求項２に記載の美顔器。
【請求項４】
前記流量調整機構は、美顔器本体から取り外し可能であることを特徴とする請求項２又は請求項３に記載の美顔器。
【請求項５】
前記流量調整機構は、可撓性を有するチューブであることを特徴とする請求項２に記載の美顔器。
【請求項６】
前記流量調整機構は、チューブ及び前記チューブに当接して前記チューブの断面積を変化させる当接部材で構成されていることを特徴とする請求項２に記載の美顔器。
【請求項７】
前記チューブは、前記吸引ポンプ及び前記液体供給ポンプの外周部にらせん状に配置されていることを特徴とする請求項５又は請求項６に記載の美顔器。
【請求項８】
前記流量調整機構は、前記タンクと前記噴霧ノズルの間をつなぐ管路中に突出するピンであり、前記ピンの突出量が美顔器の筺体の外部から調節可能であることを特徴とする請求項２に記載の美顔器。
【請求項９】
前記流量調整機構は、前記タンクと前記噴霧ノズルの間をつなぐ管路中に設けられた液溜めであり、前記液溜めの内容積が美顔器の筺体の外部から調節可能であることを特徴とする請求項２に記載の美顔器。
【請求項１０】
前記タンクと前記噴霧ノズルとをつなぐ管路の近傍にヒータを設けたことを特徴とする請求項１乃至請求項９のいずれかに記載の美顔器。
【請求項１１】
前記タンク中にヒータを設けたことを特徴とする請求項１乃至請求項９のいずれかに記載の美顔器。
【請求項１２】
前記噴霧ノズルは、それぞれ噴霧方向が異なる複数の噴霧口を有することを特徴とする請求項１乃至請求項１１のいずれかに記載の美顔器。
【請求項１３】
前記噴霧ノズルの噴霧角度調節機構をさらに有することを特徴とする請求項１乃至請求項１１のいずれかに記載の美顔器。
【請求項１４】
前記液体の噴霧量は、０．２ｍｌ／分以上、０．７ｍｌ／分以下であることを特徴とする請求項１乃至請求項１３のいずれかに記載の美顔器。
【発明の詳細な説明】
【技術分野】
【０００１】
本発明は、吸引ノズルを肌に当てて、皮脂や肌の汚れを吸引除去し、かつ、その吸引部に液体を噴霧して肌と吸引部との密着性を高めることにより、皮脂や汚れの除去効果を向上させた美顔器に関する。
【背景技術】
【０００２】
この種の美顔器では、吸引ノズルの吸引口を肌に当てて、吸引ポンプを駆動することによって吸引口から皮脂や汚れなどを吸引除去すると共に、吸引部をマッサージするように構成されている。また、特許文献１に記載されているように、吸引による皮脂の除去を行なう前後に、吸引部に液体を噴霧することにより、吸引ノズルの滑りを良くして、使用性を向上させたり、吸引後に液体を噴霧して、発熱した皮膚の部分を冷したり、あるいは毛穴を引き締めたりすることが可能な美顔器も提案されている。
【０００３】
従来の美顔器では、ベンチュリー効果を利用して、ポンプからの空気を噴霧ノズルの空気開口部に通し、開口部の液体供給側に発生した負圧によってタンクから液体を引き上げ、液体を霧状にして噴霧する構造となっている。そして、発生した噴霧を吸引の前後に肌に与える事により、滑り性の向上及び肌の引き締めを行なってきた。しかしながら、ベンチュリー効果による噴霧状態を作り出すためには空気流の流速を早くする必要があり、それに比例して、空気流中に含まれる液体量も多くなる。そのため、一度に大量の液体が肌に供給され、肌から液体が垂れるなど、ユーザに不快感を与える。また、液体の消費量が多く、長期間使用し続けることができないという問題を生じる。
【０００４】
さらに、肌の滑り性及び密着性を向上させるためには吸引の際に、常時肌に液体を与えることが好ましい。しかしながら、上記従来の美顔器では、１つのポンプで吸引ポンプと液体供給ポンプを兼ねているため、吸引と同時に液体を噴霧することができず、吸引口と肌の密着性が不十分となり、十分な皮脂や汚れの除去ができない可能性があるという問題が生じる。
【特許文献１】特開２００１−１６１４３８号公報
【発明の開示】
【発明が解決しようとする課題】
【０００５】
本発明は、上記の問題を解決するためになされたものであり、吸引と液体の噴霧を同時に行うことができ、液体の噴霧量を適度に調整可能であり、長時間にわたって液体の噴霧が可能であり、ユーザに不快感を与えず吸引口と肌の密着性を向上させ十分な皮脂の除去を行なうことが可能な美顔器を提供することを目的とする。
【課題を解決するための手段】
【０００６】
上記目的を達成するために請求項１の発明は、美顔器であって、肌に当接して皮脂や汚れを吸引する吸引ノズルと、前記吸引ノズルに吸引力を発生させるための吸引ポンプと、前記吸引ノズルの近傍に設けられ、液体を噴霧するための噴霧ノズルと、前記噴霧ノズルに供給する液体を貯蔵するタンクと、前記タンク内の液体を前記噴霧ノズルに供給するための液体供給ポンプと、前記吸引ポンプ及び前記液体供給ポンプを同時に駆動する駆動モータと、前記噴霧ノズルから微量の液体を噴霧量するための微量噴霧手段を備えたことを特徴とする。
【０００７】
請求項２の発明は、請求項１の美顔器において、前記微量噴霧手段は、前記タンクと前記噴霧ノズルの間に設けられた流量調整機構であることを特徴とする。
【０００８】
請求項３の発明は、請求項２の美顔器において、前記流量調整機構は、断面径が他の部分よりも小さいパイプであるであることを特徴とする。
【０００９】
請求項４の発明は、請求項２又は請求項３の美顔器において、前記流量調整機構は、美顔器本体から取り外し可能であることを特徴とする。
【００１０】
請求項５の発明は、請求項２の美顔器において、前記流量調整機構は、可撓性を有するチューブであることを特徴とする。
【００１１】
請求項６の発明は、請求項２の美顔器において、前記流量調整機構は、チューブ及び前記チューブに当接して前記チューブの断面積を変化させる当接部材で構成されていることを特徴とする。
【００１２】
請求項７の発明は、請求項５又は請求項６の美顔器において、前記チューブは、前記吸引ポンプ及び前記液体供給ポンプの外周部にらせん状に配置されていることを特徴とする。
【００１３】
請求項８の発明は、請求項２の美顔器において、前記流量調整機構は、前記タンクと前記噴霧ノズルの間をつなぐ管路中に突出するピンであり、前記ピンの突出量が美顔器の筺体の外部から調節可能であることを特徴とする。
【００１４】
請求項９の発明は、請求項２の美顔器において、前記流量調整機構は、前記タンクと前記噴霧ノズルの間をつなぐ管路中に設けられた液溜めであり、前記液溜めの内容積が美顔器の筺体の外部から調節可能であることを特徴とする。
【００１５】
請求項１０の発明は、請求項１乃至請求項９のいずれかの美顔器において、前記タンクと前記噴霧ノズルとをつなぐ管路の近傍にヒータを設けたことを特徴とする。
【００１６】
請求項１１の発明は、請求項１乃至請求項９のいずれかの美顔器において、前記タンク中にヒータを設けたことを特徴とする。
【００１７】
請求項１２の発明は、請求項１乃至請求項１１のいずれかの美顔器において、前記噴霧ノズルは、それぞれ噴霧方向が異なる複数の噴霧口を有することを特徴とする。
【００１８】
請求項１３の発明は、請求項１乃至請求項１１のいずれかの美顔器において、前記噴霧ノズルの噴霧角度調節機構をさらに有することを特徴とする。
【００１９】
請求項１４の発明は、請求項１乃至請求項１３のいずれかの美顔器において、前記液体の噴霧量は、０．２ｍｌ／分以上、０．７ｍｌ／分以下であることを特徴とする。
【発明の効果】
【００２０】
請求項１の発明によれば、吸引ポンプにより発生される吸引力によって吸引ノズルから皮脂や汚れを吸引すると同時に、液体供給ポンプによって発生される噴出力により噴霧ノズルから液体を噴霧することができる。その結果、吸引ノズルの吸引口と肌の密着性を向上させ十分な皮脂の除去を行なうことができる。また、噴霧ノズルからは微量の液体しか噴霧されないので、液体の垂れなどによりユーザに不快感を与えることもなく、長時間にわたって液体の噴霧を行うことができる。
【００２１】
請求項２の発明によれば、タンクと噴霧ノズルの間に流量調整機構を設けているので、流量を少なくすることによって微量の液体を噴霧させることができる。
【００２２】
請求項３の発明によれば、流量調整機構を断面径が他の部分よりも小さいパイプとしているので、パイプ部分で管路抵抗が増大し、流量を少なくすることができる、また、このようなきわめて簡単な構成により、コストを増大させることなく、微量の液体を噴霧させることができる。
【００２３】
請求項４の発明によれば、流量調整機構を美顔器本体から取り外し可能としているので、パイプ内に堆積したごみを洗浄し除去することが可能となる。また、パイプの内径が異なる複数のカートリッジを用意することにより、ユーザの好みに応じて液体の噴霧量を調節することが可能となる。
【００２４】
請求項５の発明によれば、流量調整機構を可撓性を有するチューブとしているので、チューブの一部分を変形させてその断面径を小さくすることにより、管路抵抗を発生させることができる。逆に、断面径が大きく、かつ、長いチューブを用いることによっても管路抵抗を増大させることができる。その結果、簡単な構成により、コストを増大させることなく、微量の液体を噴霧させることができる。また、チューブ内に堆積したごみを容易に洗浄し除去することが可能となる。
【００２５】
請求項６の発明によれば、流量調整機構をチューブ及びチューブに当接してチューブの断面積を変化させる当接部材で構成しているので、ユーザの好みに応じて液体の噴霧量を調節することが可能となる。
【００２６】
請求項７の発明によれば、チューブを吸引ポンプ及び液体供給ポンプの外周部にらせん状に配置しているので、美顔器の筺体の内部空間を有効利用することができ、美顔器の大型化を防止することが可能となる。
【００２７】
請求項８の発明によれば、流量調整機構をタンクと噴霧ノズルの間をつなぐ管路中に突出するピンとし、ピンの突出量を美顔器の筺体の外部から調節可能としているので、実際に美顔器を使用しながら、適宜液体の噴霧量を調節することができる。
【００２８】
請求項９の発明によれば、流量調整機構をタンクと噴霧ノズルの間をつなぐ管路中に設けられた液溜めとし、液溜めの内容積を美顔器の筺体の外部から調節可能としているので、実際に美顔器を使用しながら、適宜液体の噴霧量を調節することができる。
【００２９】
請求項１０の発明によれば、タンクと噴霧ノズルとをつなぐ管路の近傍にヒータを設けているので、噴霧ノズルから噴霧される液体の温度を高くすることができる。その結果、毛穴を大きく開いたり、あるいは皮脂を柔らかくすることができ、皮脂や汚れの除去効果を高くすることができる。
【００３０】
請求項１１の発明によれば、タンク中にヒータを設けているので、あらかじめ液体の温度を高くすることができる。その結果、毛穴を大きく開いたり、あるいは皮脂を柔らかくすることができ、皮脂や汚れの除去効果を高くすることができる。
【００３１】
請求項１２の発明によれば、噴霧ノズルはそれぞれ噴霧方向が異なる複数の噴霧口を有しているので、吸引ノズルの吸引口の近傍に均一に液体を供給することが可能になり、吸引ノズルの吸引口と肌の密着性をより向上させることができる。
【００３２】
請求項１３の発明によれば、噴霧ノズルの噴霧角度調節機構をさらに有するので、所望する位置に液体を噴霧することができる。
【００３３】
請求項１４の発明によれば、液体の噴霧量を０．２ｍｌ／分以上、０．７ｍｌ／分以下としているので、液体が肌から垂れることによる不快感をユーザに与えることもなく、また、吸引ノズルと肌の密着性が十分に得られる。
【発明を実施するための最良の形態】
【００３４】
本発明の一実施の形態について図面を参照して説明する。図１は本実施の形態に係る美顔器１の外観を示す正面図であり、図２はその内部構成を示す側部断面図である。
【００３５】
図１に示すように、美顔器１の筐体１０の略下半分は、ユーザが掌で握るためのグリップ部である。また、筐体１０の上半分の略中央部には吸引ノズル２が設けられており、さらに吸引ノズル２の近傍で、かつ上方には、液体を肌に対して噴霧するための噴霧ノズル３が設けられている。美顔器１による皮脂や汚れの吸引をオン／オフするためのメインスイッチ４は筐体１０正面の略中央部に設けられている。また、液体の噴霧をオン／オフするための噴霧スイッチ５は筐体１０の右側面上部に設けられている。
【００３６】
図２に示すように、筐体１０の内部で、グリップ部の内側には、充電式の二次電池などの電源用バッテリ６及びメインスイッチ４のスイッチ片７などが設けられている。また、筐体１０の内部の略中央部には、駆動モータ８が設けられている。駆動モータ８の上方で、かつ、正面から見て吸引ノズル２の背部には、吸引ポンプ２０及び液体供給ポンプ３０が、駆動モータ８の駆動軸８１を挟んで互いに対向するように設けられている。液体供給ポンプ３０のさらに上方には、水などの液体を貯蔵するためのタンク９が設けられている。なお、吸引ノズル２は、吸引ポンプ２０に対して着脱可能なアタッチメントとして構成されている。
【００３７】
本実施の形態に係る美顔器１では、吸引ポンプ２０と液体供給ポンプ３０を一つの駆動モータ８で駆動し、吸引ポンプ２０と液体供給ポンプ３０を同時駆動できる構造としている。そのため、吸引ノズル２による皮脂や汚れの吸引と噴霧ノズル３による液体の噴霧を同時に行うことができる。また、筐体１０を小型化し、重量バランスが良く、使い勝手の良い美顔器１を実現することができる。
【００３８】
図３は、図２における駆動モータ８よりも上の部分の拡大断面図である。吸引ポンプ２０は、吸引ノズル２の後端を開閉する吸引弁２１と、吸引弁２１と一体的に形成され、吸引弁２１の開閉動作とは逆に閉開動作を行う排気弁２２と、吸引ポンプ２０の内部空間の容積を変化させるために変形される弾性体（ダイアフラム）２３などで構成されている。
【００３９】
吸引ノズル２の先端の吸気口が開放されている状態では、弾性体２３が吸引ポンプ２０の内部空間の容積を増加させる方向に変形されると、吸引弁２１が開き、排気弁２２が閉じて、吸引ノズル２の吸引口から空気を吸い込む。逆に、弾性体２３が吸引ポンプ２０の内部空間の容積を減少させる方向に変形されると、吸引弁２１が閉じ、排気弁２２が開いて、吸引ポンプ２０の内部空間の空気を排気口から吐き出す。
【００４０】
吸引ノズル２の先端の吸気口に肌が当接している状態では、弾性体２３が吸引ポンプ２０の内部空間の容積を増加させる方向に変形されると、吸引弁２１が開き、排気弁２２が閉じて、吸引ノズル２の内部空間と吸引ポンプ２０の内部空間とが連通されると共に、その容積が増加するので、これらの内部の圧力が低下する。次に、弾性体２３が吸引ポンプ２０の内部空間の容積を減少させる方向に変形されると、吸引弁２１が閉じ、吸引ノズル２の内部空間が閉ざされて、その圧力は維持される。一方、排気弁２２が開くと、吸引ポンプ２０の内部の空気が排気口から吐き出され、外気と同じ圧力になる。この弾性体２３の変形を連続して繰り返すと、吸引ノズル２の内部空間の圧力が徐々に低下し、吸引力が生じる。その結果、肌から皮脂や汚れが吸い出される。
【００４１】
液体供給ポンプ３０も同様に、液体供給ポンプ３０に外部に連通され、外気を吸引するための吸気弁３１と、吸気弁３１と一体的に形成され、吸気弁３１の開閉動作とは逆に閉開動作を行う排気弁３２と、液体供給ポンプ３０の内部空間の容積を変化させるために変形される弾性体３３などで構成されている。液体供給ポンプ３０の排気口３４は、液体の噴霧を行なう噴霧ノズル３の吐き出し口に接続され、吸気弁３１から吸い込んだ空気を後述する排気管４０に送り込む。
【００４２】
次に、噴霧ノズル３から微量の液体を噴霧するための流量調整機構（微量噴霧手段）について説明する。本実施の形態では、タンク９と噴霧ノズル３の間に、噴霧ノズル３の液体供給穴に発生する負圧に対する抵抗を設け、単位時間当りの液体の供給量を低減させている。具体的には、図４に示すように、タンク９と噴霧ノズル３の間をつなぐ管路５０の一部に、断面径が他の部分よりも小さいパイプ５１を用いている。液体がパイプ５１を通過する際に大きな管路抵抗が発生し、液体の流量が制限される。パイプ５１の材料としては、剛体であるステンレス鋼などの金属材料が好ましい。このような、内径の小さいパイプ５１を用いることにより、水量調節機構の構造を簡単にすることができると共に、コストの増加を小さくすることができる。
【００４３】
また、図５に示すように、パイプ５１を美顔器１の本体から取り外し可能なカートリッジとしてもよい。このように、断面径が他の部分よりも小さいパイプ５１を取り外し可能とすることにより、パイプ５１内に堆積したごみを洗浄し除去することが可能となる。また、パイプ５１の内径が異なる複数のカートリッジを用意することにより、ユーザの好みに応じて液体の噴霧量を調節することが可能となる。
【００４４】
図６に示すように、流量調整機構として、ゴムなどの弾性材料を用いた可撓性を有するチューブ５２及びチューブ５２に当接してその断面積を変化（減少）させる当接部材５３を用いてもよい。このような構成によっても、タンク９と噴霧ノズル３の間をつなぐ管路５０の一部の狭くすることにより管路抵抗を発生させることができる。その結果、噴霧ノズル３から噴霧される液体の量を少なくすることができる。また、当接部材５３を回転可能とし、その回転位置に応じてチューブ５２の断面積が変化するように構成することにより、ユーザの好みに応じて液体の噴霧量を調節することが可能となる。
【００４５】
上記のようにタンク９から噴霧ノズル３に至る管路５０の内径を小さくして管路抵抗を発生させる構造では、異物が管路５０内に入った場合に異物によって管路５０が遮蔽されてしまい、噴霧ノズル３から液体が噴霧されなくなる可能性がある。そこで、図７に示すように、タンク９と噴霧ノズル３の間をつなぐ管路５０を長くして管路抵抗を発生させるようにしてもよい。この場合、管路５０を長くすることに伴い、美顔器１の小型化が困難になるものの、管路５０の内径がほぼ均一であるため、異物により管路５０が遮蔽されることを防止することができる。また、管路５０として、チューブ５４を用い、吸引ポンプ２０及び液体供給ポンプ３０の外周部にらせん状に配置することにより、美顔器１の筐体１０の内部空間を有効利用することができ、美顔器１の大型化を防止することが可能となる。
【００４６】
図８に示す変形例では、タンク９と噴霧ノズル３との間をつなぐ管路５０中に、先端が略円錐状に尖ったピン５５を突出させて管路抵抗を発生させると共に、ピン５５の突出量を変化させることにより管路抵抗を変化させている。図８に示すように、管路５０の途中に、管路が略直角に曲げられたブロック５６を設け、ピン５５をねじ送り機構５７により、直角をなす一方の管路５６Ａに対して平行移動させる。管路５６Ａのピン５５と対向する部分の内周面は略円錐状に形成され、ピン５５の位置に応じてピン５５の先端の略円錐状部分５５Ａとの隙間が変化され、管路抵抗が発生されると共に、管路抵抗を調整することが可能となる。ねじ送り機構５７は筐体１０の外部から操作可能であり、ねじ送り機構５７を調節することにより、管路５６Ａとピン５５の間の隙間が変化するので、ユーザの好みに応じて液体の噴霧量を調節することが可能となる。
【００４７】
図９に示す変形例では、タンク９と噴霧ノズル３との間をつなぐ管路５０中に液溜め５８を設けて管路抵抗を発生させると共に、液溜め５８の内容積を変化させて管路抵抗を変化させている。液溜め５８に内部には、ねじ送り機構５７により所定方向に平行移動可能な仕切り板５９が設けられている。ねじ送り機構５７は筐体１０の外部から操作可能であり、ねじ送り機構５７を調節することにより、仕切り板５９の位置が変化し、液溜め５８の内容積が変化するので、ユーザの好みに応じて液体の噴霧量を調節することが可能となる。
【００４８】
一般的に、噴霧ノズル３から噴霧される液やいの温度が高いほど、毛穴が大きく開いたり、あるいは皮脂が柔らかくなるので、皮脂や汚れの除去効果が高くなる。そのため、例えば図３に示すように、タンク９の内部にヒータ７０を設けてもよい。タンク９内にヒータ７０を設けることにより、あらかじめ液体を加熱した状態で供給することができる。あるいは、図４に示すように、タンク９から噴霧ノズル３に至る管路５０の途中にヒータ７１を設けてもよい。図４に示す例では、金属製のパイプ５１の外周部にヒータ７１が設けられているので、液体を短時間のうちに効率よく加熱することができる。
【００４９】
噴霧ノズルから噴霧される液体は、吸引ノズル２の吸引口と肌との間の界面に存在しなくてはならない。そのため、噴霧ノズル３を吸引ノズル２の近傍に配置することが望ましいが、上記のように吸引ポンプ２０や液体供給ポンプ３０を限られたスペースに効率よく配置しなければならないため、必ずしも噴霧ノズル３を吸引ノズル２の近傍に配置できるとは限らない。そこで、図１０に示すように、それぞれ噴霧方向の異なる複数の噴霧口３Ａ、３Ｂ、３Ｃ・・・を設けることにより、吸引ノズル２の吸引口の近傍に均一に液体を供給することが可能になり、吸引ノズル２の吸引口と肌の密着性がより向上する。あるいは、図１１に示すように、噴霧ノズル３の噴霧角度調節機構６０を設けることにより、所望する位置に液体を噴霧することができる。
【００５０】
なお、噴霧ノズル３から肌に供給される液体は、その量が多すぎると肌から垂れてユーザに不快感を与える。また、その量が少ないと、吸引ノズル２と肌の密着性が十分に得られず、また吸引ノズル２が肌面上をすべりにくくなり、皮脂除去効果が十分に得られない。そのため、液体の噴霧量を、ユーザに不快感を与えない量として０．７ｍｌ／分以下とし、また、吸引ノズル２と肌の密着性及び滑り性を確保できる量として０．２ｍｌ／分以上に設定することが好ましい。
【図面の簡単な説明】
【００５１】
【図１】本発明の一実施の形態に係る美顔器の外観を示す正面図。
【図２】上記美顔器の内部構成を示す側部断面図。
【図３】図２における駆動モータよりも上の部分の拡大断面図。
【図４】上記一実施の形態における流量調整機構の構成例を示す平面断面図。
【図５】（ａ）はカートリッジ化された流量調整機構を装着した状態を示す平面断面図、（ｂ）はカートリッジ化された流量調整機構を取り外した状態を示す平面断面図。
【図６】流量調整機構の別の構成例を示す平面断面図。
【図７】流量調整機構のさらに別の構成例を示す側面断面図。
【図８】流量調整機構のさらに別の構成例を示す平面断面図。
【図９】流量調整機構のさらに別の構成例を示す平面断面図。
【図１０】噴霧ノズルの噴霧口を複数にした構成例を示す正面図。
【図１１】噴霧ノズルの噴霧角度調整機構を設けた例を示す側面図。
【符号の説明】
【００５２】
１  美顔器
２  吸引ノズル
３  噴霧ノズル
３Ａ、３Ｂ、３Ｃ  噴霧口
５  噴霧スイッチ
８  駆動モータ
１０  筐体
２０  吸引ポンプ
３０  液体供給ポンプ
５０  管路
５１  パイプ
５２  チューブ
５３  当接部材
５４  チューブ
５５  ピン
５６  ブロック
５７  ねじ送り機構
５８  液溜め
５９  仕切り板
６０  噴霧角度調節機構
７０、７１  ヒータ
【図１】
2005198989.tif 000003
【図２】
2005198989.tif 000004
【図３】
2005198989.tif 000005
【図４】
2005198989.tif 000006
【図５】
2005198989.tif 000007
【図６】
2005198989.tif 000008
【図７】
2005198989.tif 000009
【図８】
2005198989.tif 000010
【図９】
2005198989.tif 000011
【図１０】
2005198989.tif 000012
【図１１】
2005198989.tif 000013